(57)【要約】ディスプレイ装置の入力を識別する実装形態および技法が概して開示される。
2014529799.tif 000002
【特許請求の範囲】
【請求項１】
ディスプレイ装置の入力を識別する方法であって、
前記ディスプレイ装置の電界における、第１のパターンを有する第１のひずみに関する指示を受信することと、
前記第１のパターンを第１の入力と関連付けることと、
前記ディスプレイ装置の前記電界における、第２のパターンを有する第２のひずみに関する指示を受信することと、
前記第１のパターンと前記第２のパターンとが実質的に同様であるかを判定することと、
前記第１のパターンと前記第２のパターンとが実質的に同様であると判定する場合、前記第２のパターンを前記第１の入力と関連付けることと、
前記第１のパターンと前記第２のパターンとが実質的に同様でないと判定する場合、前記第２のパターンを第２の入力と関連付けることと、
を備える、方法。
【請求項２】
前記ディスプレイ装置はタッチスクリーンタイプのディスプレイ装置を含む、請求項１に記載の方法。
【請求項３】
前記タッチスクリーンタイプのディスプレイ装置は容量性接触技術タイプのディスプレイ装置を備える、請求項２に記載の方法。
【請求項４】
前記第１のひずみおよび前記第２のひずみは導電性材料によって引き起こされた第１のひずみおよび第２のひずみを含む、請求項１に記載の方法。
【請求項５】
前記導電性材料はスタイラスを含む、請求項４に記載の方法。
【請求項６】
前記スタイラスは、１つまたは複数の導電性パターンを提供するように構成されたスタイラスを含む、請求項５に記載の方法。
【請求項７】
前記第１の入力は第１の使用者と関連付けられた入力を含む、請求項１に記載の方法。
【請求項８】
前記第２の入力は第２の使用者と関連付けられた入力を含む、請求項１に記載の方法。
【請求項９】
前記第１の入力は第１のスタイラスタイプと関連付けられた入力を含む、請求項１に記載の方法。
【請求項１０】
前記第２の入力は第２のスタイラスタイプと関連付けられた入力を含む、請求項１に記載の方法。
【請求項１１】
前記第１のパターンと前記第２のパターンとが実質的に同様であるかを判定することは、２以上の所定のパターンのうちで前記第１のパターンおよび前記第２のパターンを分類することをさらに含み、
前記第１のパターンを第１の入力と関連付けることは、前記２以上の所定のパターンのうちの１つに少なくとも部分的に基づき、
前記第２のパターンを前記第２の入力と関連付けることは、前記２以上の所定のパターンのうちの１つに少なくとも部分的に基づいている、請求項１に記載の方法。
【請求項１２】
前記２以上の所定のパターンのうちの前記第１のパターンおよび前記第２のパターンの分類に少なくとも部分的に基づき、前記第１の入力および／または前記第２の入力に特定の動作を割り当てることをさらに備える、請求項１１に記載の方法。
【請求項１３】
機械可読命令を記憶する信号伝達媒体を備える物品であって、前記機械可読命令は、１つまたは複数のプロセッサによって実行される場合、コンピューティングデバイスに、
ディスプレイ装置の電界における、第１のパターンを有する第１のひずみに関する指示を受信すること、
前記第１のパターンを第１の入力と関連付けること、
前記ディスプレイ装置の前記電界における、第２のパターンを有する第２のひずみに関する指示を受信すること、
前記第１のパターンと前記第２のパターンとが実質的に同様であるかを判定すること、
前記第１のパターンと前記第２のパターンとが実質的に同様であると判定される場合、前記第２のパターンを前記第１の入力と関連付けること、および
前記第１のパターンと前記第２のパターンとが実質的に同様でないと判定される場合、前記第２のパターンを第２の入力と関連付けること、
を動作可能に行わせる、物品。
【請求項１４】
前記ディスプレイ装置はタッチスクリーンタイプのディスプレイ装置を含む、請求項１３に記載の物品。
【請求項１５】
前記タッチスクリーンタイプのディスプレイ装置は容量性接触技術タイプのディスプレイ装置を含む、請求項１４に記載の物品。
【請求項１６】
前記第１のひずみおよび前記第２のひずみは導電性材料によって引き起こされた第１のひずみおよび第２のひずみを含む、請求項１３に記載の物品。
【請求項１７】
前記導電性材料はスタイラスを含む、請求項１６に記載の物品。
【請求項１８】
前記スタイラスは、１つまたは複数の導電性パターンを提供するように構成されたスタイラスを含む、請求項１７に記載の物品。
【請求項１９】
ディスプレイ装置と、
前記ディスプレイ装置に含まれた入力感知スクリーンと、
前記ディスプレイ装置に含まれ、前記入力感知スクリーンに電界を供給する導電性材料と、
前記ディスプレイ装置に結合されたプロセッサと、
機械可読命令を記憶する信号伝達媒体であって、前記機械可読命令は、前記プロセッサによって実行される場合、コンピューティングデバイスに、
前記ディスプレイ装置の前記電界における、第１のパターンを有する第１のひずみに関する指示を受信すること、
前記第１のパターンを第１の入力と関連付けること、
前記ディスプレイ装置の前記電界における、第２のパターンを有する第２のひずみに関する指示を受信すること、
前記第１のパターンと前記第２のパターンとが実質的に同様であるかを判定すること、
前記第１のパターンと前記第２のパターンとが実質的に同様であると判定される場合、前記第２のパターンを前記第１の入力と関連付けること、および
前記第１のパターンと前記第２のパターンとが実質的に同様でないと判定される場合、前記第２のパターンを第２の入力と関連付けること、
を動作可能に行わせる、信号伝達媒体と、
を備える、機器。
【請求項２０】
前記ディスプレイ装置はタッチスクリーンタイプのディスプレイ装置を含む、請求項１９に記載の機器。
【請求項２１】
前記第１のひずみおよび前記第２のひずみは、導電性材料によって引き起こされた第１のひずみおよび第２のひずみを含む、請求項１９に記載の機器。
【請求項２２】
前記導電性材料はスタイラスを含む、請求項２１に記載の機器。
【請求項２３】
前記スタイラスは、１つまたは複数の導電性パターンを提供するように構成されたスタイラスを含む、請求項２２に記載の機器。
【請求項２４】
前記第１の入力は第１の使用者と関連付けられた入力を含む、請求項１９に記載の機器。
【請求項２５】
前記第２の入力は第２の使用者と関連付けられた入力を含む、請求項１９に記載の機器。
【発明の詳細な説明】
【背景技術】
【０００１】
本明細書に別に示されていない限り、本項目に記載の手法は、本願の特許請求の範囲に対する従来技術となるものではなく、本項目に包含されることによって従来技術であると認められるものでもない。
【０００２】
タッチスクリーンは、ディスプレイ領域内において接触の存在および位置を検知することができる電子光学ディスプレイである。タッチスクリーンは、一般的には、接触領域の特定の大きさよりも大きい導電体に対して無条件に反応することができる。したがって、異なる使用者および／または異なる接触入力体をこのようなタッチスクリーンによって識別することはできない。
【発明の概要】
【０００３】
本明細書に記載する方法、機器およびシステムのいくつかの例は、ディスプレイ装置の入力を識別することに関することができる。
【０００４】
ディスプレイ装置の入力を識別することに関する方法、機器およびシステムのいくつかの例は、ディスプレイ装置において実行可能である。このような機器は、ディスプレイ装置、入力感知スクリーン、導電性材料、プロセッサ、および信号伝達媒体を含むことができる。入力感知スクリーンは、ディスプレイ装置に含まれてもよい。導電性材料は、ディスプレイ装置に含まれてもよい。導電性材料は、入力感知スクリーンに電界を供給することができる。プロセッサは、ディスプレイ装置に結合可能である。信号伝達媒体は、プロセッサによって実行される場合、コンピューティングデバイスに、ディスプレイ装置の電界の第１のひずみに関する指示（indication）を受信することを動作可能に行わせる機械可読命令を記憶することができ、第１のひずみは第１のパターンを有することができる。第１のパターンは、第１の入力と関連付けることができる。ディスプレイ装置の電界の第２のひずみに関する指示が受信可能であり、第２のひずみは第２のパターンを有することができる。第１のパターンと第２のパターンとが実質的に同様であるかどうかの判定を行うことができる。第１のパターンと第２のパターンとが実質的に同様であると判定されるならば、第２のパターンは第１の入力と関連付けることができる。第１のパターンと第２のパターンとが実質的に同様でないと判定されるならば、第２のパターンは第２の入力と関連付けることができる。
【０００５】
ディスプレイ装置の入力を識別することに関する方法、機器およびシステムのいくつかの例は、ディスプレイ装置において実行可能である。このような方法は、ディスプレイ装置の電界の第１のひずみに関する指示を受信することを含むことができ、第１のひずみは第１のパターンを有することができる。第１のパターンは、第１の入力と関連付けることができる。ディスプレイ装置の電界の第２のひずみに関する指示は受信可能であり、第２のひずみは第２のパターンを有することができる。第１のパターンと第２のパターンとが実質的に同様であるかどうかの判定を行うことができる。第１のパターンと第２のパターンとが実質的に同様であると判定されるならば、第２のパターンは第１の入力と関連付けることができる。第１のパターンと第２のパターンとが実質的に同様でないと判定されるならば、第２のパターンは第２の入力と関連付けることができる。
【０００６】
ディスプレイ装置の入力を識別することに関する方法、機器およびシステムのいくつかの例は、ディスプレイ装置において実行可能である。このような物品は、機械可読命令を記憶する信号伝達媒体を備え、機械可読命令は、１つまたは複数のプロセッサによって実行される場合、コンピューティングデバイスに、ディスプレイ装置の電界の第１のひずみに関する指示を受信することを動作可能に行わせることができ、第１のひずみは第１のパターンを有することができる。第１のパターンは、第１の入力と関連付けることができる。ディスプレイ装置の電界の第２のひずみに関する指示は受信可能であり、第２のひずみは第２のパターンを有することができる。第１のパターンと第２のパターンとが実質的に同様であるかどうかの判定を行うことができる。第１のパターンと第２のパターンとが実質的に同様であると判定されるならば、第２のパターンは第１の入力と関連付けることができる。第１のパターンと第２のパターンとが実質的に同様でないと判定されるならば、第２のパターンは第２の入力と関連付けることができる。
【０００７】
前述の概要は、例示に過ぎず、いかなる方法によっても限定することを意図するものでもない。上記に記載された例示的な態様、実施形態および特徴に加えて、さらなる態様、実施形態および特徴は、図面および以下の詳細な説明を参照することによって明らかにされる。
【０００８】
主題は、特許請求の範囲において特に示されると共に、明確に特許請求される。本開示の前述および他の特徴は、添付の図面と共に、以下の説明および添付の特許請求の範囲からより十分に明らかにされる。これらの図面は、本開示に従ういくつかの実施形態のみを示すものであり、したがって、開示範囲の限定とみなすべきものではないと理解され、本開示は、添付の図面を使用することによって、付加的な特定性および細部と共に説明される。
【図面の簡単な説明】
【０００９】
【図１】本開示の少なくともいくつかの実施形態に従い構成されたディスプレイ装置の図の一例である。
【図２】本開示の少なくともいくつかの実施形態に従い構成された入力装置の図の一例である。
【図３】本開示の少なくともいくつかの実施形態に従い構成された入力装置の図の別の例である。
【図４】本開示の少なくともいくつかの実施形態に従い構成された入力装置の図のさらなる例である。
【図５】本開示の少なくともいくつかの実施形態に従い構成されたセンサグリッドと相互作用する入力装置の図の一例である。
【図６】本開示の少なくともいくつかの実施形態に従い構成されたディスプレイ装置と相互作用する入力装置の図の一例である。
【図７】本開示の少なくともいくつかの実施形態に従い構成されたディスプレイ装置と相互作用する入力装置の図の別の例である。
【図８】本開示の少なくともいくつかの実施形態に従い構成されたディスプレイ装置の入力を識別する工程の一例である。
【図９】本開示の少なくともいくつかの実施形態に従い構成されたコンピュータプログラム製品の一例のイラストレーションである。
【図１０】本開示の少なくともいくつかの実施形態に従い構成されたコンピューティングデバイスの例示的実施形態のブロック図である。
【発明を実施するための形態】
【００１０】
以下の説明は、特許請求された主題の徹底的な理解を提供するために、特定の詳細と共にさまざまな例を記述する。しかしながら、特許請求された主題が、本明細書に開示された特定の詳細のうちのいくつかまたは複数がなくとも実施可能であることは、当業者に理解されるであろう。さらに、いくつかの細部においては、周知の方法、手順、システム、構成要素および／または回路は、特許請求された主題を不必要に不明瞭にすることを避けるために詳細には説明されていない。
【００１１】
以下の詳細な説明において、本願の一部を形成する添付図面が参照される。図面において、文脈が別に指示していない限り、通常、同様の符号は同様の構成要素を指し示す。詳細な説明、図面および特許請求の範囲に記載された例示的な実施形態は、限定することを意味していない。本願に提示された主題の趣旨または範囲から逸脱することなく、他の実施形態を利用可能であると共に、他の変更を行うことも可能である。本明細書に主として記載されると共に、図面に図示された本開示の態様が多様な異なる構成において構成され、置換され、結合され、そして設計され、そのすべてが明確に意図されると共に、本開示の一部をなすことは容易に理解されるであろう。
【００１２】
本開示は、とりわけ、ディスプレイ装置の入力を識別することに関する方法、機器およびシステムについて言及する。
【００１３】
以下により詳細に説明するように、タッチスクリーンタイプのディスプレイ装置は、複数の入力を識別するように構成することができる。例えば、異なる導電性パターンを有する２以上の入力装置（例えばスタイラス）を利用することができる。このような例において、ディスプレイ装置は、第１の導電性パターンを有する入力装置と第２の導電性パターンを有する入力装置とを識別するように構成することができる。
【００１４】
図１は、本開示の少なくともいくつかの実施形態に従い構成されたディスプレイ装置１００の図の一例を示す。図示された例において、ディスプレイ装置１００は、例えば、投影型容量性接触技術タイプのディスプレイ装置などの、タッチスクリーンタイプのディスプレイ装置であってもよい。
【００１５】
いくつかの例において、ディスプレイ装置１００は、入力感知スクリーン１０２および／または導電性材料１０４を含むことができる。入力感知スクリーン１０２は、ディスプレイ装置１００に含まれてもよく、容量式接触１０６を導電性材料１０４に伝達することができる。
【００１６】
導電性材料１０４は、ディスプレイ装置１００に含まれてもよい。導電性材料１００は、入力感知スクリーン１０２に電界を供給することができる。例えば、このような電界は、入力感知スクリーン１０２を経由する導電性材料１０４への容量式接触１０６の伝達に応答するひずみ１０８を有することができる。
【００１７】
いくつかの例において、導電性材料１０４は、センサグリッドとして配向かつ構成可能である。このような例において、導電性材料１０４は、垂直方向の接触入力を検出することができるように配向されたセンサ１１２および／または水平方向の接触入力を検出することができるように配向されたセンサ１１４を含むことができる。
【００１８】
いくつかの例において、ディスプレイ装置１００は、制御ユニット１１６を含んでもよい。例えば、制御ユニット１１６は、プロセッサおよび信号伝達媒体を含むことができる。プロセッサはディスプレイ装置１００に結合可能である。信号伝達媒体は、機械可読命令を記憶して備えることができ、機械可読命令は、プロセッサによって実行されるならば、ディスプレイ装置１００に、ディスプレイ装置１００の入力を識別することを動作可能に行わせることができる。
【００１９】
動作において、ディスプレイ装置１００は、指１１８または他の導電体がディスプレイ装置１００に接触したとき、容量変化を測定することによって接触に関する情報を捕捉することができる。以下により詳細に説明されるように、機械可読命令は、ディスプレイ装置１００に、ディスプレイ装置１００の入力を識別させることを動作可能に行わせる。例えば、ディスプレイ装置１００は、ディスプレイ装置１００の電界の第１のひずみに関する指示を受信することができ、第１のひずみは第１のパターンを有することができる。第１のパターンは、第１の入力と関連付けることができる。次に、ディスプレイ装置１００の電界の第２のひずみに関する指示を受信することができ、第２のひずみは第２のパターンを有することができる。第１のパターンと第２のパターンとが実質的に同様であるかどうかの判定を行うことができる。例えば、このようなパターン認識は、回帰アルゴリズム、教師あり分類アルゴリズム、教師なしクラスタリングアルゴリズム等、および／またはこれらの組み合わせなどの、１つまたは複数のパターン認識アルゴリズムを利用することができる。第１のパターンと第２のパターンとが実質的に同様であると判定された場合、第２のパターンは第１の入力と関連付けることができる。第１のパターンと第２のパターンとが実質的に同様でないと判定された場合、第２のパターンは第２の入力と関連付けることができる。例えば、第１の入力は第１の使用者および／または第１の入力装置と関連付けられた入力を含むことができる。同様に、第２の入力は第２の使用者および／または第２の入力装置と関連付けられた入力を含むことができる。
【００２０】
図２は、本開示の少なくともいくつかの実施形態に従い構成された入力装置の図の別の例を示す。図示された例において、第１のおよび第２の入力装置２００、２０２はスタイラスタイプ入力装置として示される。このような例において、第１の入力装置２００は、導電性端部２０６と動作的に関連付けられたペンシャフト２０４を含むことができる。
【００２１】
いくつかの例において、ペンシャフト２０４は、回転可能連結部材２０８によって導電性端部２０６に回転可能に結合することができる。このような例において、導電性端部２０６の接触面全体が入力感知スクリーン１０２（例えば図１参照）と接触することができる。使用者が入力感知スクリーン１０２（例えば図１参照）に対してペンシャフト２０４の配向を変化させるとき、回転可能連結部材２０８は、導電性端部２０６の接触面全体の接触を維持させることができる。
【００２２】
第２の入力装置２０２は、第１の入力装置２００の構成と同一のおよび／または類似の構成を有することができる。第２の入力装置２０２は、第２の導電性端部２１６と動作的に関連付けられたペンシャフト２０４を含むことができる。例えば、ペンシャフト２０４は、回転可能連結部材２０８を介して第２の導電性端部２１６に回転可能に結合することができる。
【００２３】
図示された例において、導電性端部２０６および第２の導電性端部２１６はディスプレイ装置１００（例えば図１参照）の電界に対してひずみを個別に提供することができる。しかしながら、これらのひずみは、導電性端部２０６および第２の導電性端部２１６の特定の性質に応じて互いに異なってもよい。例えば、導電性端部２０６は容量性パターンを含むことができる。図示された例において、導電性端部２０６のこのような容量性パターンは、第１の静電容量領域２２２および第２の静電容量領域２２４から形成することができる。例えば、第１の静電容量領域２２２は、第１の静電容量を有する第１の導電性材料から形成することができ、第２の静電容量領域２２４は、第１の静電容量とは異なる第２の静電容量を有する第２の導電性材料から形成することができる。
【００２４】
同様に、第２の導電性端部２１６の容量性パターンは、第１の静電容量領域２２２および第２の静電容量領域２２４から形成することができ、第２の導電性端部２１６と導電性端部２０６の容量性パターンは、互いに異なっている。第１の静電容量領域２２２および第２の静電容量領域２２４に加えて他の静電容量領域が使用可能であることは理解されるであろう。また、第２の導電性端部２１６の容量性パターンが、導電性端部２０６に使用された材料または静電容量値と同じもので形成される必要のないこと、および、その代わりに導電性端部２０６とは異なる材料で形成可能であることも理解されるであろう。
【００２５】
いくつかの例において、第１の入力装置２００（および／または第２の入力装置２０２）は、１つまたは複数の導電性パターンを提供するように構成されたスタイラスタイプ入力装置であってもよい。例えば、スタイラスタイプ入力装置は、スタイラスタイプ入力装置のセレクタタイプ機構に少なくとも部分的に基づいて導電性端部２０６および第２の導電性端部２１６の両方を提供できるように構成された、図２について前述したような導電性端部を有することができる。セレクタタイプ機構は、限定はされないが、クリック端部などの種々のセレクタタイプ機構を含むことができ、クリック端部の第１の押下により、図２について前述した導電性端部２０６などの導電性端部をスタイラスタイプ入力装置に具備させることができる。クリック端部の第２の押下により、図２について前述した導電性端部２１６などの導電性端部をスタイラスタイプ入力装置に具備させることができる。限定はされないが、１つまたは複数の種類の導電性端部を補助するスタイラスタイプ入力装置の側面上のボタンなど、多様なセレクタタイプ機構が利用可能であり、したがって、特許請求された主題はこの点に限定されない。１つの例において、このようなセレクタタイプ機構は、スタイラスタイプ入力装置に対して導電性端部２０６を引き込み、そして第２の導電性端部２１６を引き出すような機械的な態様で作動することができる。このような例において、複数のインクチューブを有する多色ペンに使用される構成と同様の構造を導電性端部２０６の引き込みおよび第２の導電性端部２１６の引き出しに利用することができる。
【００２６】
図３は、本開示の少なくともいくつかの実施形態に従い構成された入力装置の図の別の例を示す。図示された例において、第３の導電性端部３０６は第１の静電容量領域２２２および第２の静電容量領域２２４から形成することができ、第３の導電性端部３０６、第２の導電性端部２１６および導電性端部２０６の容量性パターンは互いに異なっている。他の静電容量領域が第１の静電容量領域２２２および第２の静電容量領域２２４に加えて使用可能であることは理解されるであろう。また、第３の導電性端部３０６の容量性パターンが、導電性端部２０６に使用された材料または静電容量値と同じもので形成される必要のないこと、および、その代わりに導電性端部２０６とは異なる材料で形成可能であることも理解されるであろう。
【００２７】
図示された例において、静電容量領域２２２は、第２の静電容量領域２２４よりも大きい静電容量を作出することができる。図示されているように、導電性端部２０６は容量性パターン３０８を有することができ、第２の導電性端部２１６は第２の容量性パターン３１０を有することができ、そして、第３の導電性端部３０６は第３の容量性パターン３１２を有することができる。容量性パターン３０８、第２の容量性パターン３１０および第３の容量性パターン３１２は、互いに異なってもよく、ディスプレイ装置１００（例えば図１参照）によって識別可能な、電界に対するひずみを個別的に提供することができる。例えば、容量性パターン３０８と関連付けられた第１のひずみ（例えば導電性材料のばらつきによって引き起こされる）および第２の容量性パターン３１０と関連付けられた第２のひずみ（例えば導電性材料のばらつきによって引き起こされる）は、ディスプレイ装置１００（例えば図１参照）によって識別することができる。ディスプレイ装置１００（例えば図１参照）によって識別される容量性パターンに関するさらなる詳細は、図５に関連して以下に説明する。
【００２８】
図４は、本開示の少なくともいくつかの実施形態に従い構成された入力装置の図のさらなる例を示す。図示された例において、第１のおよび第２の入力装置４０２、４０４は、それぞれ、手袋４０６および／または指カバー４０８を含むように示される。このような例において、第１の入力装置４０２は、１つまたは複数の導電性端部２１６と動作的に関連付けられた手袋４０６を含むことができる。図示されているように、手袋４０６は、それぞれ個別の指と関連付けられた、同じ導電性パターンの５つの導電性端部２１６を有することができる。代替的に、手袋４０６は、異なる導電性パターン（例えば、各指と関連付けられた異なる導電性パターン）の導電性端部を有することができる。付加的にまたは代替的に、手袋４０６は、導電性端部（例えば、親指および人差し指のみと関連付けられた、または人差し指のみと関連付けられた導電性端部２１６）と関連付けられた５つ未満の指を有することができる。同様に、第２の入力装置４０４は、導電性端部２０６に動作的に関連付けられた指カバー４０８を含むことができる。
【００２９】
動作において、手袋４０６または指カバー４０８などのさまざまな接触体は、関連付けられた導電性パターンによって区別することができる。したがって、手袋４０６（および／もしくは手袋４０６の個別の指）または指カバー４０８は、ディスプレイ装置１００（例えば図１参照）によって識別することができる。
【００３０】
例えば、ディスプレイ装置１００は、使用者の左手袋４０６によって（または手袋４０６の個別の指もしくは指カバー４０８によって）接触されたとき第１のユーザインタフェースを適用することができ、および使用者の右手袋４０６によって（または手袋４０６の個別の指もしくは指カバー４０８によって）接触されたとき第２のユーザインタフェースを適用することができる。
【００３１】
図５は、本開示の少なくともいくつかの実施形態に従い構成されたセンサグリッド５００と相互作用する入力装置の図の一例を示す。図示された例において、導電性材料１０４はセンサグリッド５００として配向かつ構成可能である。センサグリッド５００は、１つまたは複数の入力装置２００（例えば図２参照）が入力感知スクリーン１０２（例えば図１参照）に接触するときに１つまたは複数の導電性端部２０６と関連付けることができる。
【００３２】
静電容量領域２２２は、センサグリッド５００と関連付けられたとき第２の静電容量領域２２４よりも大きな静電容量を作出することができる。例えば、静電容量領域２２２は、センサグリッド５００に対し３．０静電容量出力を作出することができ、他方、第２の静電容量領域２２４はセンサグリッド５００に対し１．５静電容量出力を作出することができる。導電性材料１０４の残りの領域は、ゼロまたはほとんどゼロの静電容量を有することができる。動作において、導電性端部２０６と関連付けられた第１のひずみおよび第２の導電性端部２１６（例えば図２参照）と関連付けられた第２のひずみはディスプレイ装置１００（例えば図１参照）によって識別することができる。
【００３３】
図６は、本開示の少なくともいくつかの実施形態に従い構成されたディスプレイ装置１００と相互作用する入力装置の図の一例を示す。図示された例において、１人または複数の使用者は、２以上の入力装置（例えば第１の入力装置２００、第２の入力装置２０２、および／または第３の入力装置６００）を介してディスプレイ装置１００と相互作用することができる。第１の入力装置２００、第２の入力装置２０２、および／または第３の入力装置６００は、スタイラスタイプ入力装置（例えば図２参照）、手袋タイプ入力装置（例えば図４参照）、指カバータイプ入力装置（例えば図４参照）等、および／またはこれらの組み合わせとすることが可能である。
【００３４】
第１の入力装置２００、第２の入力装置２０２、および／または第３の入力装置６００は、それぞれ、互いに異なってもよい容量性パターンを有することができ、ディスプレイ装置１００によって識別可能な、電界に対するひずみを個別に提供することができる。例えば、第１の入力装置２００と関連付けられた第１のひずみおよび第２の入力装置２０２と関連付けられた第２のひずみは、ディスプレイ装置１００によって識別することができる。１つの例において、第１のイラスト６０１は、第１の入力装置２００によって描くことができる。ディスプレイ装置１００は、第１の入力装置２００と関連付けられた第１のひずみによって第１の入力装置２００を認識することができ、第１のイラスト６０１を第１の入力装置２００と関連付けることができる。同様に、第２のイラスト６０２は、第２の入力装置２０２によって描くことができる。ディスプレイ装置１００は、第２の入力装置２０２と関連付けられた第２のひずみによって第２の入力装置２０２を認識することができ、第２のイラスト６０２を第２の入力装置２０２と関連付けることができる。
【００３５】
動作において、第１の入力装置２００、第２の入力装置２０２、および／または第３の入力装置６００のそれぞれに異なる色を自動的に指定することができる。あるいは、使用者が、第１の入力装置２００、第２の入力装置２０２、および／または第３の入力装置６００と関連付けられるように異なる色を選択することができる。このような例において、第１のイラスト６０１は第１の色とすることができ、第２のイラスト６０２は第２の色とすることができる。あるいは、第１の入力装置２００、第２の入力装置２０２、および／または第３の入力装置６００のそれぞれは、どの色が入力装置１００によって関連付けられるかの視覚的表示（例えば、文字、外面の色等、および／またはこれらの組み合わせ）を有することができる。したがって、第１の入力装置２００、第２の入力装置２０２、および／または第３の入力装置６００のそれぞれに異なる色を指定することができる。
【００３６】
図７は、本開示の少なくともいくつかの実施形態に従い構成されたディスプレイ装置１００と相互作用する入力装置の図の別の例を示す。図示された例において、１人または複数の使用者はディスプレイ装置１００と相互作用することができる。例えば、第１の使用者７００は、第１の入力装置２００を介してディスプレイ装置１００と相互作用することができる。同様に、第２の使用者７０２は、第２の入力装置２０２を介してディスプレイ装置１００と相互作用することができる。第１の入力装置２００および／または第２の入力装置２０２は、スタイラスタイプ入力装置（例えば図２参照）、手袋タイプ入力装置（例えば図４参照）、指カバータイプ入力装置（例えば図４参照）等、および／またはこれらの組み合わせとすることができる。
【００３７】
第１の入力装置２００および第２の入力装置２０２は、互いに異なってもよい容量性パターンをそれぞれ有することができ、ディスプレイ装置１００によって識別可能な、電界に対するひずみを個別に提供することができる。例えば、第１の入力装置２００と関連付けられた第１のひずみおよび第２の入力装置２０２と関連付けられた第２のひずみは、ディスプレイ装置１００によって識別することができる。
【００３８】
１つの例において、第１のユーザインタフェース７１０は第１の入力装置２００と関連付けることができる。ディスプレイ装置１００は、第１の入力装置２００と関連付けられた第１のひずみによって第１の入力装置２００を認識することができ、第１のユーザインタフェース７１０を第１の入力装置２００と関連付けることができる。同様に、第２のユーザインタフェース７１２は、第２の入力装置２０２によって描くことができる。ディスプレイ装置１００は、第２の入力装置２０２と関連付けられた第２のひずみによって第２の入力装置２０２を認識することができ、第２のユーザインタフェース７１２を第２の入力装置２０２と関連付けることができる。
【００３９】
動作において、第１の入力装置２００および／または第２の入力装置２０２のそれぞれに対して、異なるユーザインタフェースを自動的に指定することができる。あるいは、使用者が、第１の入力装置２００および／または第２の入力装置２０２と関連付けられるように異なるユーザインタフェースを選択することができる。このような例において、第１のイラスト７２０は第１のユーザインタフェース７１０によって作製することができ、他方、第２のイラスト７２２は第２のユーザインタフェース７１２によって作製することができる。
【００４０】
例えば、２人の使用者（例えば、第１のおよび第２の使用者７００、７０２）は、同じディスプレイ装置１００に絵を描くことができる。第１の使用者７００は図を挿入することができ、第２の使用者７０２はブラシ線を描くことができる。そこで、第１の使用者７００は、第１のユーザインタフェースと関連付けられた形状テーブルにある「長方形」をクリックすることができ、第２の使用者７０２は、第２のユーザインタフェース７１２と関連付けられたパレットにある「黄色」をクリックすることができる。そして、第１の使用者７００および第２の使用者７０２は、第１のおよび第２の入力装置２００、２０２のそれぞれをもってディスプレイ装置１００上に絵を描くことができる。この場合、ディスプレイ装置１００は、適切な動作を行うための異なる容量性パターンによって、第１の使用者７００の第１の入力装置２００と第２の使用者７０２の第２の入力装置２０２とを識別することができる。
【００４１】
図８は、本開示の少なくともいくつかの実施形態に従い構成されたディスプレイ装置の入力を識別する工程の一例を示す。工程８００、および本明細書で説明される他の工程、は、ハードウェア、ソフトウェアおよび／またはファームウェアによって実行可能な、処理ステップ、機能的動作、イベントおよび／または行為等として説明することができるさまざまな機能ブロックまたは動作を示す。本開示の観点から、当業者であれば、図８に示す機能ブロックに対する多数の代替形態が種々の実装形態で実行可能であると認識するであろう。例えば、図８に示されるように、工程８００は、ブロックまたは動作の１つの特定の順序を備えることが可能であるものの、これらのブロックまたは動作が提示される順序は、特許請求される主題をいずれかの特定の順序に必ずしも限定するものではない。同様に、特許請求される主題の範囲を逸脱することなく、図８に示されていない中間動作、および／もしくは図８に示されていない付加的動作を使用することが可能であり、ならびに／または図８に示された動作のいくつかを削除することができる。工程８００は、動作例８０２、８０４、８０６、８０８、８１０および／または８１２によって示されるような１つまたは複数の機能的動作を含むことができる。
【００４２】
図示されているように、工程８００は、ディスプレイ装置（図１参照）の入力を識別するために実行することができる。処理は、動作８０２、「第１のひずみに関する指示を受信する」、で開始することができ、第１のひずみに関する指示を受信することができる。例えば、ディスプレイ装置の電界の第１のひずみに関する指示を受信することができる。このような例において、第１のひずみは第１のパターンを有することができる。いくつかの例において、第１のひずみは、導電性材料によって引き起こされた第１のひずみを含むことができる。
【００４３】
処理は動作８０２から動作８０４、「第１のパターンを第１の入力と関連付ける」、へと続くことができ、第１のパターンを第１の入力と関連付けることができる。例えば、第１のパターンは第１の入力と関連付けることができる。別の例においては、第１のパターンは第１のスタイラスタイプの第１の入力と関連付けることができる。
【００４４】
処理は動作８０４から動作８０６、「第２のひずみに関する指示の受信する」、へと続くことができ、第２のひずみに関する指示を受信することができる。例えば、ディスプレイ装置の電界の第２のひずみに関する指示を受信することができる。このような例において、第２のひずみは第２のパターンを有することができる。いつくかの例において、第２のひずみは導電性材料によって引き起こされた第２のひずみを含むことができる。
【００４５】
処理は動作８０６から動作８０８、「第１のパターンと第２のパターンとが実質的に同様であるかを判定する」、へと続くことができ、第１のパターンと第２のパターンとが実質的に同様であるかの判定を行うことができる。
【００４６】
処理は動作８０８から動作８１０、「第２のパターンを第１の入力と関連付ける」、へと続くことができ、第２のパターンを第１の入力と関連付けることができる。例えば、第２のパターンは、第１のパターンと第２のパターンとが実質的に同様であると判定されるならば第１の入力と関連付けることができる。
【００４７】
代わりに、処理は動作８０８から動作８１２、「第２のパターンを第２の入力と関連付ける」、へと続くことができ、第２のパターンを第２の入力と関連付けることができる。例えば、第２のパターンは、第１のパターンと第２のパターンとが実質的に同様でないと判定されるならば第２の入力と関連付けることができる。別の例において、第２のパターンは、第１のパターンと第２のパターンとが実質的に同様でないと判定されるならば第２のスタイラスタイプの第２の入力と関連付けることができる。
【００４８】
いくつかの例において、動作８０８は、２以上の所定のパターンのうちで第１のパターンと第２のパターンとを分類することを含むことができる。このような例において、第１のパターンを第１の入力と関連付ける動作８０４は、少なくとも部分的に、２以上の所定のパターンのうちの１つに基づくことができる。同様に、第２のパターンを第２の入力と関連付ける動作８１２は、少なくとも部分的に、２以上の所定のパターンのうちの１つに基づくことができる。このような例において、２以上の所定のパターンのうちの第１のパターンと第２のパターンとの分類に少なくとも部分的に基づく第１の入力および／または第２の入力に、専用の動作を割り当てることができる。
【００４９】
図９は、本開示の少なくともいくつかの実施形態に従い構成されたコンピュータプログラム製品９００の一例を示す。プログラム製品９００は、信号伝達媒体９０２を含むことができる。信号伝達媒体９０２は、１つまたは複数の機械可読命令９０４を含むことができ、機械可読命令９０４は、１つまたは複数のプロセッサによって実行される場合、コンピューティングデバイスに、図８に関して前述した機能を提供することを動作可能に行わせることができる。したがって、例えば、１つまたは複数のディスプレイ装置１００（例えば図１参照）は、媒体９０２によって伝達される命令９０４に応答して、図８に示される動作の１つまたは複数を引き受けることができる。
【００５０】
いくつかの実装形態において、信号伝達媒体９０２は、限定はされないが、ハードディスクドライブ、コンパクトディスク（ＣＤ）、デジタルバーサタイルディスク（ＤＶＤ）、デジタルテープ、メモリなどの、非一時的コンピュータ可読媒体９０６を包含することができる。いくつかの実装形態において、信号伝達媒体９０２は、限定はされないが、メモリ、読み取り／書き込み（Ｒ／Ｗ）ＣＤ、Ｒ／Ｗ  ＤＶＤ、その他などの、記録可能媒体９０８を包含することができる。いくつか実装形態において、信号伝達媒体９０２は、限定はされないが、デジタル通信媒体および／またはアナログ通信媒体（例えば、光ファイバケーブル、導波管、有線通信リンク、無線通信リンク、その他）などの、通信媒体９１０を包含することができる。
【００５１】
図１０は、本開示の少なくともいくつかの実施形態に従い構成された、当業者によって具体化可能な、コンピューティングデバイス１０００の一例を示すブロック図である。構成１００１の一例において、コンピューティングデバイス１０００は、１つまたは複数のプロセッサ１０１０およびシステムメモリ１０２０を含むことができる。メモリバス１０３０は、プロセッサ１０１０とシステムメモリ１０２０との間で通信するために使用することができる。
【００５２】
所望の構成に依存して、プロセッサ１０１０は、限定はされないが、マイクロプロセッサ（μＰ）、マイクロコントローラ（μＣ）、デジタル信号プロセッサ（ＤＳＰ）、またはこれらのいずれかの組み合わせを含むいずれかのタイプにすることができる。プロセッサ１０１０は、レベル１キャッシュ１０１１およびレベル２キャッシュ１０１２などの１つまたは複数のレベルのキャッシングと、プロセッサコア１０１３と、レジスタ１０１４と、を含むことができる。プロセッサコア１０１３は、演算論理装置（ＡＬＵ）、浮動小数点演算装置（ＦＰＵ）、デジタル信号処理コア（ＤＳＰコア）、またはこれらのいずれかの組み合わせを含むことができる。また、メモリコントローラ１０１５は、プロセッサ１０１０と共に使用することもでき、または、いくつかの実装形態においては、メモリコントローラ１０１５は、プロセッサ１０１０の内部部品とすることもできる。
【００５３】
所望の構成に依存して、システムメモリ１０２０は、限定はされないが、揮発性メモリ（ＲＡＭなど）、不揮発性メモリ（ＲＯＭ、フラッシュメモリ、他など）、またはこれらのいずれかの組み合わせを含むいずれかのタイプとすることができる。システムメモリ１０２０は、オペレーティングシステム１０２１と、１つまたは複数のアプリケーション１０２２と、プログラムデータ１０２４と、を含むことができる。アプリケーション１０２２は、図８の工程８００関連して説明したような機能ブロックおよび／または動作を含む、本明細書で説明したような機能を実行するように構成された入力識別アルゴリズム１０２３を含むことができる。プログラムデータ１０２４は、入力識別アルゴリズム１０２３と使用するためのモードおよび／またはパターンデータ１０２５を含むことができる。いくつかの実装形態例において、アプリケーション１０２２は、本明細書において説明されたような入力識別の実装形態を提供することができるように、オペレーティングシステム１０２１上でプログラムデータ１０２４を用いて動作するように構成することができる。例えば、１つまたは複数のディスプレイ装置１００（例えば図１参照）は、コンピューティングデバイス１０００の全部または一部を備えることができ、本明細書において説明されたような入力識別の実装形態を提供することができるように、アプリケーション１０２２の全部または一部を実行することができる。前述のこの基本構成が、破線１００１内のこれらの構成要素によって図１０に示されている。
【００５４】
コンピューティングデバイス１０００は、付加的な特徴または機能、および基本構成１０１０と要求されるいずれかの装置およびインタフェースとの間の通信を容易にする付加的なインタフェースを有することが可能である。例えば、バス／インタフェースコントローラ１０４０は、ストレージインタフェースバス１０４１を介した、基本構成１００１と１つまたは複数のデータ記憶装置１０５０との間の通信を容易にするために使用することができる。データ記憶装置１０５０は、取外し式記憶装置１０５１、非取外し式記憶装置１０５２、またはこれらの組み合わせとすることができる。取外し式記憶装置および非取外し式記憶装置の例には、いくつか例を挙げると、フレキシブルディスクドライブおよびハードディスクドライブ（ＨＤＤ）などの磁気ディスクデバイス、コンパクトディスク（ＣＤ）ドライブまたはデジタルバーサタイルディスク（ＤＶＤ）ドライブなどの光ディスクドライブ、ソリッドステートドライブ（ＳＳＤ）、ならびにテープドライブが含まれる。コンピュータ記憶媒体の例には、コンピュータ可読命令、データ構造、プログラムモジュール、または他のデータなどの情報を記憶するためのいずれかの方法または技術で実施された揮発性媒体および不揮発性媒体、取外し式媒体および非取外し式媒体が含まれ得る。
【００５５】
システムメモリ１０２０、取外し式ストレージ１０５１および非取外し式ストレージ１０５２は、すべて、コンピュータ記憶媒体の例である。コンピュータ記憶媒体は、限定はされないが、ＲＡＭ、ＲＯＭ、ＥＥＰＲＯＭ、フラッシュメモリもしくは他のメモリ技術、ＣＤ−ＲＯＭ、デジタルバーサタイルディスク（ＤＶＤ）もしくは他の光記憶装置、磁気カセット、磁気テープ、磁気ディスク記憶装置もしくは他の磁気記憶装置、または所望の情報を記憶するのに使用可能であると共に、コンピューティングデバイス１０００によってアクセス可能な他のいずれかの媒体を含むことができる。このようないずれかのコンピュータ記憶媒体は、デバイス１０００の一部であってもよい。
【００５６】
コンピューティングデバイス１０００は、バス／インタフェースコントローラ１０４０を介したさまざまなインタフェース装置（例えば、出力インタフェース、周辺インタフェース、および通信インタフェース）から基本構成１００１への通信を容易にするためのインタフェースバス１０４２を含むことも可能である。出力インタフェース１０６０の例には、１つまたは複数のＡ／Ｖポート１０６３を介してディスプレイまたはスピーカなどのさまざまな外部装置に通信するように構成可能なグラフィックス処理ユニット１０６１およびオーディオ処理ユニット１０６２が含まれ得る。周辺インタフェース１０６０の例には、１つまたは複数のＩ／Ｏポート１０７３を介して、入力装置（例えば、キーボード、マウス、ペン、音声入力装置、タッチ入力装置、他）または他の周辺装置（例えば、プリンタ、スキャナ、他）などの外部装置と通信するように構成可能なシリアルインタフェースコントローラ１０７１またはパラレルインタフェースコントローラ１０７２が含まれ得る。通信インタフェース１０８０の例には、１つまたは複数の通信ポート１０８２を介したネットワーク通信上における１つまたは複数の他のコンピューティングデバイス１０９０との通信を容易にするように構成可能なネットワークコントローラ１０８１が含まれる。通信接続は、通信媒体の一例である。通信媒体は、典型的には、コンピュータ可読命令、データ構造、プログラムモジュール、または搬送波もしくは他のトランスポート機構などの変調されたデータ信号における他のデータによって具現化することができると共に、いずれかの情報伝送媒体を含むことができる。「変調されたデータ信号」とは、信号内で情報を符号化するような方法で設定または変更された特性の１つまたは複数を有する信号であってもよい。例を挙げると、限定ではないが、通信媒体は、有線ネットワークまたは直接配線接続などの有線媒体、ならびに音響、無線周波数（ＲＦ）、赤外線（ＩＲ）および他の無線媒体などの無線媒体を含むことができる。本明細書で使用される場合、用語コンピュータ可読媒体は、記憶媒体および通信媒体の両方を含むことができる。
【００５７】
コンピューティングデバイス１０００は、携帯電話機、携帯情報端末（ＰＤＡ）、パーソナルメディアプレーヤ装置、無線ウェブ閲覧装置、パーソナルヘッドセット装置、アプリケーション特定装置、または上記機能のいずれかを含むハイブリッド装置などのスモールフォームファクタポータブル（またはモバイル）電子装置の一部として実装することができる。また、コンピューティングデバイス１０００は、ラップトップコンピュータ構成および非ラップトップコンピュータ構成の両方を含むパーソナルコンピュータとして実装することもできる。さらに、コンピューティングデバイス１０００は、無線基地局、または他の無線システムもしくは装置の一部として実装することもできる。
【００５８】
前述の詳細な説明のいくつかの部分は、コンピュータメモリなどのコンピューティングシステムメモリ内に記憶されたデータビットまたは二進数信号に対する動作のアルゴリズムまたは記号表示の点から提示される。これらのアルゴリズム記述またはアルゴリズム表現は、データ処理技術の当業者によって、仕事の内容を他の当業者に伝達するために使用される技法の例である。アルゴリズムとは、本明細書においても一般的にも、所望の結果に導く自己矛盾のない一連の動作または同様の処理であると考えられる。この文脈において、動作または処理は、物理的量の物理的操作を伴う。典型的には、そのような量は、記憶され、伝送され、結合され、比較され、または他の方法で操作されることが可能な電気信号または磁気信号の形態をとることができるが、必ずしもこれらに限定されない。主として一般に使用されているという理由により、このような信号を、ビット、データ、値、要素、記号、文字、用語、数字、数値などと呼ぶことが、時として好都合であることが知られている。しかしながら、上記の用語および同様の用語はすべて、適切な物理量と関連付けられるべきであり、簡便な標識に過ぎないということは理解されるべきである。特段の記載がない限り、以下の議論から明らかなように、本明細書の議論を通して利用される「処理すること」、「演算すること」、「計算すること」、「判定すること」などの用語は、コンピューティングデバイスのメモリ、レジスタもしくは他の情報記憶装置、伝送装置、またはディスプレイ装置内で物理的電子的量または磁気的量として表されるデータを操作し、または変換するコンピューティングデバイスの動作または処理を指すと理解される。
【００５９】
特許請求される主題の範囲は、本明細書で記載された特定の実装形態に限定されない。例えば、いくつかの実装形態は、デバイス上、または複数のデバイスの組み合わせの上で動作するように使用されるなど、ハードウェアにおいて実施することができるのに対し、例えば、他の実装形態は、ソフトウェアおよび／またはファームウェアにおいて実施することができる。同様に、特許請求される主題の範囲は、この点に限定されないけれども、いくつかの実装形態は、信号伝達媒体、記憶媒体および／または複数の記憶媒体などの１つまたは複数の物品を含むことができる。例えば、ＣＤ−ＲＯＭ、コンピュータディスク、フラッシュメモリなどの、このような記憶媒体は、それに記憶された命令を有することができ、当該命令は、例えば、コンピューティングシステム、コンピューティングプラットフォーム、または他のシステムなどのコンピューティングデバイスによって実行されるときに、例えば、前述した実装形態のうちの１つなどの、特許請求される主題に従うプロセッサの実行を結果として得ることができる。１つの可能性として、コンピューティングデバイスは、１つまたは複数の処理ユニットもしくはプロセッサと、ディスプレイなどの１つまたは複数の入力／出力装置と、キーボードおよび／またはマウスと、スタティックランダムアクセスメモリ、ダイナミックランダムアクセスメモリ、フラッシュメモリ、および／またはハードドライブなどの１つまたは複数のメモリと、を含むことができる。
【００６０】
システムの側面でのハードウェアの実装形態とソフトウェアの実装形態との間には、ほとんど相違が残されていない。ハードウェアまたはソフトウェアの使用は、一般に（いつもそうではないが、ある状況ではハードウェアとソフトウェアの間の選択が重要になり得るという点で）コスト対効果のトレードオフを表す設計上の選択である。本明細書に記載された、プロセスおよび／またはシステムおよび／または他の技術をもたらすことができるさまざまな達成手段があり（例えば、ハードウェア、ソフトウェア、および／またはファームウェア）、好ましい達成手段は、プロセスおよび／またはシステムおよび／または他の技術が導入される状況によって異なる。例えば、実装者が速度と正確性が最も重要であると決定すると、実装者は主にハードウェアおよび／またはファームウェアの達成手段を選択することができる。フレキシビリティが最も重要なら、実装者は主にソフトウェアの実装形態を選択することができる。または、さらに別の代替案として、実装者は、ハードウェア、ソフトウェア、および／またはファームウェアのなんらかの組み合わせを選択することができる。
【００６１】
前述の詳細な説明では、ブロック図、フローチャート、および／または例の使用によって、装置および／またはプロセスのさまざまな実施形態を説明してきた。そのようなブロック図、フローチャート、および／または例が１つまたは複数の機能および／または動作を含む限りにおいて、そのようなブロック図、フローチャート、または例の中のそれぞれの機能および／または動作は、広範囲のハードウェア、ソフトウェア、ファームウェア、または実質上それらのすべての組み合わせにより、個別におよび／または集合的に実装可能であることが、当業者には理解されるであろう。ある実施形態では、本明細書に記載された主題のいくつかの部分は、特定用途向け集積回路（ＡＳＩＣ）、フィールドプログラマブルゲートアレイ（ＦＰＧＡ）、デジタルシグナルプロセッサ（ＤＳＰ）、または他の集積化方式によって実装することができる。しかし、本明細書で開示された実施形態のいくつかの態様が、全体においてまたは一部において、１つまたは複数のコンピュータ上で動作する１つまたは複数のコンピュータプログラムとして（例えば、１つまたは複数のコンピュータシステム上で動作する１つまたは複数のプログラムとして）、１つまたは複数のプロセッサ上で動作する１つまたは複数のプログラムとして（例えば、１つまたは複数のマイクロプロセッサ上で動作する１つまたは複数のプログラムとして）、ファームウェアとして、あるいは実質上それらの任意の組み合わせとして、等価に集積回路に実装することができることを、当業者は認識するであろうし、電気回路の設計ならびに／またはソフトウェアおよび／もしくはファームウェアのコーディングが、本開示に照らして十分当業者の技能の範囲内であることを、当業者は認識するであろう。さらに、本明細書に記載された主題のメカニズムをさまざまな形式のプログラム製品として配布することができることを、当業者は理解するであろうし、本明細書に記載された主題の例示的な実施形態が、実際に配布を実行するために使用される信号伝達媒体の特定のタイプにかかわらず適用されることを、当業者は理解するであろう。信号伝達媒体の例には、フレキシブルディスク、ハードディスクドライブ（ＨＤＤ）、コンパクトディスク（ＣＤ）、デジタル多用途ディスク（ＤＶＤ）、デジタルテープ、コンピュータメモリ、などの記録可能なタイプの媒体、ならびに、デジタル通信媒体および／またはアナログ通信媒体（例えば、光ファイバケーブル、導波管、有線通信リンク、無線通信リンクなど）の通信タイプの媒体が含まれるが、それらには限定されない。
【００６２】
本明細書で説明したやり方で装置および／またはプロセスを記載し、その後そのように記載された装置および／またはプロセスを、データ処理システムに統合するためにエンジニアリング方式を使用することは、当技術分野で一般的であることを当業者は認識するであろう。すなわち、本明細書に記載された装置および／またはプロセスの少なくとも一部を、妥当な数の実験によってデータ処理システムに統合することができる。通常のデータ処理システムは、一般に、システムユニットハウジング、ビデオディスプレイ装置、揮発性メモリおよび不揮発性メモリなどのメモリ、マイクロプロセッサおよびデジタル信号プロセッサなどのプロセッサ、オペレーティングシステムなどの計算実体、ドライバ、グラフィカルユーザインタフェース、およびアプリケーションプログラムのうちの１つもしくは複数、タッチパッドもしくはスクリーンなどの１つもしくは複数の相互作用装置、ならびに／またはフィードバックループおよびコントロールモータを含むコントロールシステム（例えば、位置検知用および／もしくは速度検知用フィードバック、コンポーネントの移動用および／もしくは数量の調整用コントロールモータ）を含むことを、当業者は理解するであろう。通常のデータ処理システムは、データコンピューティング／通信システムおよび／またはネットワークコンピューティング／通信システムの中に通常見られるコンポーネントなどの、市販の適切なコンポーネントを利用して実装することができる。
【００６３】
本明細書に記載された主題は、さまざまなコンポーネントをしばしば例示しており、これらのコンポーネントは、他のさまざまなコンポーネントに包含されるか、または他のさまざまなコンポーネントに接続される。そのように図示されたアーキテクチャは、単に例示に過ぎず、実際には、同じ機能を実現する多くの他のアーキテクチャが実装可能であることが理解されよう。概念的な意味で、同じ機能を実現するコンポーネントの任意の構成は、所望の機能が実現されるように効果的に「関連付け」される。したがって、特定の機能を実現するために組み合わされた、本明細書における任意の２つのコンポーネントは、アーキテクチャまたは中間のコンポーネントにかかわらず、所望の機能が実現されるように、お互いに「関連付け」されていると見ることができる。同様に、そのように関連付けされた任意の２つのコンポーネントは、所望の機能を実現するために、互いに「動作可能に接続」または「動作可能に結合」されているとみなすこともでき、そのように関連付け可能な任意の２つのコンポーネントは、所望の機能を実現するために、互いに「動作可能に結合できる」とみなすこともできる。動作可能に結合できる場合の具体例には、物理的にかみ合わせ可能な、および／もしくは物理的に相互作用するコンポーネント、ならびに／またはワイヤレスに相互作用可能な、および／もしくはワイヤレスに相互作用するコンポーネント、ならびに／または論理的に相互作用する、および／もしくは論理的に相互作用可能なコンポーネントが含まれるが、それらに限定されない。
【００６４】
本明細書における実質的にすべての複数形および／または単数形の用語の使用に対して、当業者は、状況および／または用途に適切なように、複数形から単数形に、および／または単数形から複数形に変換することができる。さまざまな単数形／複数形の置き換えは、理解しやすいように、本明細書で明確に説明することができる。
【００６５】
通常、本明細書において、特に添付の特許請求の範囲（たとえば、添付の特許請求の範囲の本体部）において使用される用語は、全体を通じて「オープンな（ｏｐｅｎ）」用語として意図されていることが、当業者には理解されよう（例えば、用語「含む（ｉｎｃｌｕｄｉｎｇ）」は、「含むがそれに限定されない（ｉｎｃｌｕｄｉｎｇ  ｂｕｔ  ｎｏｔ  ｌｉｍｉｔｅｄ  ｔｏ）」と解釈されるべきであり、用語「有する（ｈａｖｉｎｇ）」は、「少なくとも有する（ｈａｖｉｎｇ  ａｔ  ｌｅａｓｔ）」と解釈されるべきであり、用語「含む（ｉｎｃｌｕｄｅｓ）」は、「含むがそれに限定されない（ｉｎｃｌｕｄｅｓ  ｂｕｔ  ｉｓ  ｎｏｔ  ｌｉｍｉｔｅｄ  ｔｏ）」と解釈されるべきである、など）。導入される請求項で具体的な数の記載が意図される場合、そのような意図は、当該請求項において明示的に記載されることになり、そのような記載がない場合、そのような意図は存在しないことが、当業者にはさらに理解されよう。例えば、理解の一助として、添付の特許請求の範囲は、導入句「少なくとも１つの（ａｔ  ｌｅａｓｔ  ｏｎｅ）」および「１つまたは複数の（ｏｎｅ  ｏｒ  ｍｏｒｅ）」を使用して請求項の記載を導くことを含む場合がある。しかし、そのような句の使用は、同一の請求項が、導入句「１つまたは複数の」または「少なくとも１つの」および「ａ」または「ａｎ」などの不定冠詞を含む場合であっても、不定冠詞「ａ」または「ａｎ」による請求項の記載の導入が、そのように導入される請求項の記載を含む任意の特定の請求項を、単に１つのそのような記載を含む発明に限定する、ということを示唆していると解釈されるべきではない（例えば、「ａ」および／または「ａｎ」は、通常、「少なくとも１つの」または「１つまたは複数の」を意味すると解釈されるべきである）。同じことが、請求項の記載を導入するのに使用される定冠詞の使用にも当てはまる。また、導入される請求項の記載で具体的な数が明示的に記載されている場合でも、そのような記載は、通常、少なくとも記載された数を意味すると解釈されるべきであることが、当業者には理解されよう（例えば、他の修飾語なしでの「２つの記載（ｔｗｏ  ｒｅｃｉｔａｔｉｏｎｓ）」の単なる記載は、通常、少なくとも２つの記載、または２つ以上の記載を意味する）。さらに、「Ａ、ＢおよびＣ、などの少なくとも１つ」に類似の慣例表現が使用されている事例では、通常、そのような構文は、当業者がその慣例表現を理解するであろう意味で意図されている（例えば、「Ａ、Ｂ、およびＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、それに限定されない）。「Ａ、Ｂ、またはＣ、などの少なくとも１つ」に類似の慣例表現が使用されている事例では、通常、そのような構文は、当業者がその慣例表現を理解するであろう意味で意図されている（例えば、「Ａ、Ｂ、またはＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシス���ムを含むが、それに限定されない）。２つ以上の代替用語を提示する事実上いかなる離接する語および／または句も、明細書、特許請求の範囲、または図面のどこにあっても、当該用語の一方（ｏｎｅ  ｏｆ  ｔｈｅ  ｔｅｒｍｓ）、当該用語のいずれか（ｅｉｔｈｅｒ  ｏｆ  ｔｈｅ  ｔｅｒｍｓ）、または両方の用語（ｂｏｔｈ  ｔｅｒｍｓ）を含む可能性を企図すると理解されるべきであることが、当業者にはさらに理解されよう。例えば、句「ＡまたはＢ」は、「Ａ」または「Ｂ」あるいは「ＡおよびＢ」の可能性を含むことが理解されよう。
【００６６】
本明細書において「実装形態」、「１つの実装形態」、「いくつかの実装形態」または「他の実装形態」の言及は、１つまたは複数の実装形態に関連して記載された特定の特性、構造、または特徴が少なくともいくつかの実装形態に包含可能であること意味し得るが、必ずしもすべての実装形態に包含されることを意味するものではない。前述の説明における「実装形態」、「１つの実装形態」または「いくつかの実装形態」のさまざまな表現は、必ずしもすべて同一の実装形態を指しているとは限らない。
【００６７】
特定の例示的な技法が、さまざまな方法およびシステムを使用して本明細書に記載されると共に示されているが、特許請求される主題から逸脱することなく、さまざまな他の変更を行うことができ、そして均等物によって置換可能であることは、当業者に理解されるべきである。また、本明細書において記載された中心概念から逸脱することなく、特定の状況を特許請求される主題の教示に適合させる多様な変形も可能である。したがって、特許請求される主題は、開示される特定の例に限定されないが、そのような特許請求される主題は、添付の特許請求の範囲、およびその均等物の範囲に含まれるすべての実装形態も包含可能であることを意図するものである。
【図１】
2014529799.tif 000003
【図２】
2014529799.tif 000004
【図３】
2014529799.tif 000005
【図４】
2014529799.tif 000006
【図５】
2014529799.tif 000007
【図６】
2014529799.tif 000008
【図７】
2014529799.tif 000009
【図８】
2014529799.tif 000010
【図９】
2014529799.tif 000011
【図１０】
2014529799.tif 000012
【手続補正書】
【提出日】平成26年2月19日(2014.2.19)
【手続補正１】
【補正対象書類名】明細書
【補正対象項目名】００１６
【補正方法】変更
【補正の内容】
【００１６】
導電性材料１０４は、ディスプレイ装置１００に含まれてもよい。導電性材料１０４は、入力感知スクリーン１０２に電界を供給することができる。例えば、このような電界は、入力感知スクリーン１０２を経由する導電性材料１０４への容量式接触１０６の伝達に応答するひずみ１０８を有することができる。
【手続補正２】
【補正対象書類名】明細書
【補正対象項目名】００４７
【補正方法】変更
【補正の内容】
【００４７】
代わりに、処理は動作８１０から動作８１２、「第２のパターンを第２の入力と関連付ける」、へと続くことができ、第２のパターンを第２の入力と関連付けることができる。例えば、第２のパターンは、第１のパターンと第２のパターンとが実質的に同様でないと判定されるならば第２の入力と関連付けることができる。別の例において、第２のパターンは、第１のパターンと第２のパターンとが実質的に同様でないと判定されるならば第２のスタイラスタイプの第２の入力と関連付けることができる。
【手続補正３】
【補正対象書類名】明細書
【補正対象項目名】００５６
【補正方法】変更
【補正の内容】
【００５６】
コンピューティングデバイス１０００は、バス／インタフェースコントローラ１０４０を介したさまざまなインタフェース装置（例えば、出力インタフェース、周辺インタフェース、および通信インタフェース）から基本構成１００１への通信を容易にするためのインタフェースバス１０４２を含むことも可能である。出力インタフェース１０６０の例には、１つまたは複数のＡ／Ｖポート１０６３を介してディスプレイまたはスピーカなどのさまざまな外部装置に通信するように構成可能なグラフィックス処理ユニット１０６１およびオーディオ処理ユニット１０６２が含まれ得る。周辺インタフェース１０７０の例には、１つまたは複数のＩ／Ｏポート１０７３を介して、入力装置（例えば、キーボード、マウス、ペン、音声入力装置、タッチ入力装置、他）または他の周辺装置（例えば、プリンタ、スキャナ、他）などの外部装置と通信するように構成可能なシリアルインタフェースコントローラ１０７１またはパラレルインタフェースコントローラ１０７２が含まれ得る。通信インタフェース１０８０の例には、１つまたは複数の通信ポート１０８２を介したネットワーク通信上における１つまたは複数の他のコンピューティングデバイス１０９０との通信を容易にするように構成可能なネットワークコントローラ１０８１が含まれる。通信接続は、通信媒体の一例である。通信媒体は、典型的には、コンピュータ可読命令、データ構造、プログラムモジュール、または搬送波もしくは他のトランスポート機構などの変調されたデータ信号における他のデータによって具現化することができると共に、いずれかの情報伝送媒体を含むことができる。「変調されたデータ信号」とは、信号内で情報を符号化するような方法で設定または変更された特性の１つまたは複数を有する信号であってもよい。例を挙げると、限定ではないが、通信媒体は、有線ネットワークまたは直接配線接続などの有線媒体、ならびに音響、無線周波数（ＲＦ）、赤外線（ＩＲ）および他の無線媒体などの無線媒体を含むことができる。本明細書で使用される場合、用語コンピュータ可読媒体は、記憶媒体および通信媒体の両方を含むことができる。
【手続補正４】
【補正対象書類名】図面
【補正対象項目名】図７
【補正方法】変更
【補正の内容】
【図７】
2014529799.tif 000013
【国際調査報告】
2014529799.tif 000014
2014529799.tif 000015